(57)【要約】【課題】使用者や使用機器や使用条件などが簡単に設定できる使用制限機能付きメモリ・カード、その応用装置及び方法を提供する。【解決手段】コントローラＬＳＩ内蔵の著作権保護機能付きメモリ・カード１では、セキュア領域１０１、準セキュア領域１０２は、鍵データやライセンスデータなど著作権保護のためのデータ類を格納する領域で、コマンドでアクセスできない領域である。一方、標準メモリ領域１０３は、コマンドでアクセス可能な領域で、従来のメモリ・カードでは、暗号化コンテンツや非セキュアデータを格納する。ここに、本発明では、使用制限情報を登録する使用条件設定エリア部１０４を新規に追加して構成する。許諾ユーザは、使用条件設定エリア部１０４のデータは読み出しに限られる。【選択図】　　　　図１
2004054473.tif 000002
【特許請求の範囲】
【請求項１】
コマンドでアクセス可能なメモリ領域に、メモリ・カードの使用制限情報を登録する領域を設けたことを特徴とするメモリ・カード。
【請求項２】
請求項１記載のメモリ・カードであって、
前記メモリ・カードの前記使用制限情報は、
前記使用制限情報を登録する前記領域の書き込み／読み出しを許諾された者の識別情報、
前記メモリ・カードの使用を許諾され、前記使用制限情報を登録する前記領域の書き込みを禁止されているが読み出しを許諾された者の識別情報、
前記メモリ・カードの使用を許諾された機器の識別情報、
前記メモリ・カードの使用条件の情報のうち少なくとも１つを含むことを特徴とするメモリ・カード。
【請求項３】
請求項１又は２記載のメモリ・カードであって、
前記コマンドでアクセス可能な前記メモリ領域は、
前記使用制限情報を登録する可変な領域と、
一般ユーザがアクセス可能な領域とを有することを特徴とするメモリ・カード。
【請求項４】
請求項１、２又は３のいずれか１項に記載のメモリ・カードと接続可能なインタフェースと、
前記インタフェースと接続された記録媒体とを有し、
前記メモリ・カードの前記使用制限情報に基づいて、前記インタフェースを介して、前記記録媒体に記録されている情報を前記メモリ・カードに記録し、又は前記メモリ・カードに記録されている情報を前記記録媒体に記録することを特徴とする情報機器。
【請求項５】
配信事業者との契約によりコンテンツ情報の配信を受けることを許諾された装置に内蔵された記録媒体に、前記配信事業者から配信された前記コンテンツ情報を記録する工程と、
請求項１、２又は３のいずれか１項に記載のメモリ・カードに登録された前記使用制限情報に基づいて、前記記録媒体に記録された前記コンテンツ情報のうち、配信を受けることを許諾された前記コンテンツ情報のみを前記メモリ・カードに記録する工程とを有することを特徴とする情報配信方法。
【発明の詳細な説明】
【０００１】
【発明の属する技術分野】
本発明は、メモリ・カード、その応用装置及びその応用方法に関し、特に、メモリ・カード所持者の権利や秘密の保護などに好適な使用制限機能付きメモリ・カードに有効な技術に関する。
【０００２】
【従来の技術】
メモリ・カードは、すでにＡＶ分野やＰＣ分野で広く使用されている。そして、近年は、高速アクセス、コンパクト・アンド・スリム、著作権保護技術などの優れた特長を活かして、モバイル分野や通信分野、家庭電化分野、健康・医療分野にまでその応用機器群を広げ始め、「メモリ・カード・ワールド」の構築が進みはじめている。
【０００３】
これらの応用機器において、メモリ・カードが製品間の橋渡しを行う「ブリッジメディア」として利用され、フレキシブルにネットワーク化されることで、快適なライフスタイルの創造に期待が寄せられている。
【０００４】
【発明が解決しようとする課題】
ところで、前記のようなメモリ・カードの技術について、本発明者が検討した結果、以下のようなことが明らかとなった。
【０００５】
例えば、メモリ・カードは、製品間の橋渡しを行う「ブリッジメディア」として種々の機器で使用されるため、メモリ・カード所持者の権利や秘密が損なわれたり、メモリ・カードの内容が改竄されたりする等の問題も内包していた。
【０００６】
また、メモリ・カードには著作権保護機能付きのものもあるが、これらの機能はコマンドではアクセスできないセキュア領域や準セキュア領域に収められており、一般ユーザはこの技術を使用することはできない。
【０００７】
このため、一般ユーザの権利保護や秘密保護、あるいは改竄防止のための使用者や使用機器や使用条件などを簡単に設定できる機能を備え、かつ、安全性・利便性に優れたメモリ・カードの実現が望まれている。
【０００８】
そこで、本発明の目的は、「ブリッジメディア」として利用されるメモリ・カードにおいて、一般ユーザの権利保護や秘密保護、あるいは改竄防止のために使用者や使用機器や使用条件などを簡単に設定できる、使用制限機能付きメモリ・カード及びその応用装置・方法を提供するものである。
【０００９】
本発明の前記並びにその他の目的と新規な特徴は、本明細書の記述及び添付図面から明らかになるであろう。
【００１０】
【課題を解決するための手段】
本願において開示される発明のうち、代表的なものの概要を簡単に説明すれば、次のとおりである。
【００１１】
すなわち、本発明によるメモリ・カードは、コマンドでアクセス可能な領域に、メモリ・カードの使用制限情報を登録する使用条件設定エリア部を設けたことを特徴とするものである。
【００１２】
そして、その使用条件設定エリア部は、使用条件設定エリア部の書き込み／読み出しを許諾された者の識別情報を登録するスーパーユーザＩＤ設定部と、メモリ・カードの使用を許諾され、かつ、使用条件設定エリア部の書き込みを禁止されているが読み出しを許諾された者を登録する許諾ユーザＩＤ設定部、メモリ・カードの使用を許諾された機器の識別情報を登録する許諾使用機器ＩＤ設定部、メモリ・カードの使用条件の情報を登録する使用条件設定部の少なくとも１つから構成される。
【００１３】
すなわち、スーパーユーザと許諾ユーザとの区分を設け、スーパーユーザのみが、使用条件設定エリア部のすべての設定部への情報の登録が実行可能とし、許諾ユーザは、該使用条件設定エリア部のアクセスを読み出し動作に限定される。
【００１４】
また、コマンドでアクセス可能なメモリ領域を、使用制限情報を登録する可変な領域と、一般ユーザがアクセス可能な領域とに分割可能とする。
【００１５】
すなわち、使用制限機能付きの動作で使用する情報を格納するメモリ領域をスーパーユーザ・アプリケーションユーズ設定領域として設定可能な機能も設ける。
【００１６】
さらに、前記メモリ・カードを搭載した機器においては、機器制御システム部とメモリ・カードとの間でメモリ・カード識別プロトコルの処理で使用制限機能付きメモリ・カードを識別する。そして、機器制御システム部を介したスーパーユーザ・プロトコルの処理で、スーパーユーザの登録・認証、許諾ユーザの設定・削除、許諾使用機器の設定・削除、使用条件の設定・削除、コンテンツ登録・削除を行う。一方、許諾ユーザの認証や許諾使用機器の認証や使用条件の認証は、許諾ユーザ・プロトコルの処理で行う。
【００１７】
また、許諾使用機器のＩＰｖ６などのＩＰアドレスをＩＤ情報として使用する。また、デジタル放送などのデータストリームをメモリ・カードに記録する際には、「ＤＶＤ　Ｓｔｒｅａｍ　Ｒｅｃｏｒｄｉｎｇ」規格で定められる所定のパケットを単位として、書き込みや読み出しを行う。
【００１８】
以上述べた技術的手段により、一般ユーザの権利保護や秘密保護、あるいは改竄防止のために、使用者や使用機器や使用条件などを簡単に設定することができる使用制限機能付きメモリ・カードの実現が可能となる。
【００１９】
また、前記メモリ・カードの応用装置は、前記メモリ・カードと接続可能なインタフェースと、そのインタフェースと接続された記録媒体などから構成され、メモリ・カードの使用制限情報に基づいて、インタフェースを介して、記録媒体に記録されている情報をメモリ・カードに記録し、又はメモリ・カードに記録されている情報を記録媒体に記録することを特徴とするものである。
【００２０】
よって、この使用制限機能付きメモリ・カードを、テレビジョン受像機やデジタル録画機器、あるいはネットワークで結ばれた情報家電機器などに適用することで、「ブリッジメディア」の安全性を向上することができる。また、メモリ・カードの特長を活かした、メカレス（可動部品のない）のタイムシフト、追っ掛け再生、一時停止などの機能も簡単に実現できる。
【００２１】
また、前記メモリ・カードの応用方法としての情報発信方法は、配信事業者との契約によりコンテンツ情報の配信を受けることを許諾された装置に内蔵された記録媒体に、配信事業者から配信されたコンテンツ情報を記録する工程と、前記メモリ・カードに登録された使用制限情報に基づいて、記録媒体に記録されたコンテンツ情報のうち、配信を受けることを許諾されたコンテンツ情報のみをメモリ・カードに記録する工程とを有することを特徴とするものである。
【００２２】
すなわち、使用制限機能付きメモリ・カードを媒体とした電子新聞配信システム、電子雑誌配信システムなどでは、使用条件設定エリア部に登録契約するコンテンツ配信許諾情報によって、安全性の高いコンテンツ配信を実現することができる。
【００２３】
【発明の実施の形態】
以下、本発明の実施の形態を図面に基づいて詳細に説明する。なお、実施の形態を説明するための全図において、同一部材には同一の符号を付し、その繰り返しの説明は省略する。
【００２４】
（実施の形態１）
図１及び図２は、本発明の実施の形態１のメモリ・カードの構成の一例を示す図であり、図１はコントローラＬＳＩ内蔵の著作権保護機能付きメモリ・カードに適用した場合、図２はコントローラＬＳＩを内蔵しないメモリ・カードに適用した場合である。
【００２５】
まず、図１により、本実施の形態１のメモリ・カードの構成の一例を説明する。本実施の形態１のメモリ・カード１は、コントローラＬＳＩ内蔵の著作権保護機能付きの場合は、例えば、セキュア領域１０１、準セキュア領域１０２、標準メモリ領域１０３などから構成されている。
【００２６】
セキュア領域１０１、準セキュア領域１０２は、鍵データやライセンスデータなど著作権保護のためのデータ類を格納する領域で、コマンドでアクセスできない領域である。
【００２７】
一方、標準メモリ領域１０３は、コマンドでアクセス可能な領域で、従来のメモリ・カードでは、暗号化コンテンツや非セキュアデータを格納する。
【００２８】
そして、本実施の形態１の使用制限機能付きメモリ・カード１は、この標準メモリ領域１０３の一部に、メモリ・カードの使用制限情報を登録する使用条件設定エリア部１０４を新規に追加して構成される。
【００２９】
また、本実施の形態１の別のメモリ・カード１ａは、コントローラＬＳＩを内蔵しない場合は、図２に示すように、例えば、標準メモリ領域１０３などから構成される。また、コマンドでアクセス可能な標準メモリ領域１０３に、メモリ・カードの使用制限情報を登録する使用条件設定エリア部１０４を新規に追加して、使用制限機能付きメモリ・カード１ａが構成される。
【００３０】
図３は、メモリ・カードの使用制限情報を登録する使用条件設定エリア部１０４の構成の一例を示す図である。
【００３１】
使用条件設定エリア部１０４は、例えば、使用条件設定エリア部１０４の書き込み／読み出しを許諾された者の識別情報を登録するスーパーユーザＩＤ設定部１０５、メモリ・カードの使用を許諾され、かつ、使用条件設定エリア部１０４の書き込みを禁止されているが読み出しを許諾された者を登録する許諾ユーザＩＤ設定部１０６、メモリ・カードの使用を許諾された機器の識別情報を登録する許諾使用機器ＩＤ設定部１０７、メモリ・カードの使用条件の情報を登録する使用条件設定部１０８などから構成されている。これらの設定部の機能や動作については後述する。
【００３２】
図４は、本発明の使用制限機能付きメモリ・カードを搭載する機器のシステム構成の一例を示す図である。
【００３３】
メモリ・カード搭載機器２は、例えば、機器操作を行うユーザＩＦ部１０９、データ類や機器の動作を統括制御する機器制御システム部１１０、各種アプリケーションプログラムを実行制御する機器アプリケーション制御部１１１、及び、使用制限機能付きメモリ・カード１（１ａ）とメモリ・カード搭載機器２とのインタフェース機能を有するメモリ・カードＩＦ部１１２などから構成されている。
【００３４】
次に、メモリ・カード搭載機器２における各種プロトコルの処理フローについて説明する。
【００３５】
図５は、メモリ・カード搭載機器２において、使用制限機能付きメモリ・カードとメモリ・カード搭載機器２との間で実行する各種プロトコル処理の一例を示す図である。
【００３６】
本実施の形態１におけるプロトコル処理は、メモリ・カードの使用者、使用機器、使用条件などを登録・削除する処理を行うスーパーユーザ・プロトコルと、使用制限条件を認証する処理を行う許諾ユーザ・プロトコルの２種類からなる。
【００３７】
また、これらの処理に関係する図４の各ブロックを、関係部門システムとして図５に示す。
【００３８】
スーパーユーザ・プロトコルの処理は、本発明の使用制限機能付きメモリ・カード１（１ａ）と一般のメモリ・カードとを識別するメモリ・カード識別、スーパーユーザの登録を行うスーパーユーザ登録、スーパーユーザの認証を行うスーパーユーザ認証、使用者の登録や削除を行う許諾ユーザ設定／削除、使用機器の登録や削除を行う許諾使用機器設定／削除、使用する時間帯などの登録や削除を行う使用条件設定／削除、コンテンツの書き込みや削除を行うコンテンツ登録／削除、及び、アプリケーションプログラムを実行するアプリケーション起動／停止などから構成される。
【００３９】
一方、許諾ユーザ・プロトコルは、メモリ・カード識別、使用者の認定を行う許諾ユーザ認証、使用機器の認定を行う許諾使用機器認証、使用条件の認定を行う使用条件認証、及びアプリケーション起動／停止などから構成される。
【００４０】
以上の処理のうち、アプリケーション起動／停止の処理は、従来のメモリ・カードでも行われているものである。
【００４１】
図６は、本実施の形態１における、各種プロトコルの処理フローの一例を示す図である。
【００４２】
始めに、メモリ・カード識別プロトコルを実行して、使用制限機能付きメモリ・カード１（１ａ）の識別を行う（ステップＳ２１０）。
【００４３】
次に、スーパーユーザ登録・認証プロトコルを実行する（ステップＳ２２０）。
【００４４】
そして、スーパーユーザと認証した場合には、以下、許諾ユーザ設定／削除プロトコル、許諾使用機器設定／削除プロトコル、使用条件設定／削除プロトコル、コンテンツ登録／削除プロトコルの処理を実行する（ステップＳ２３０）。
【００４５】
スーパーユーザではないと認証した場合は、許諾ユーザとみなし、以下、許諾ユーザ認証プロトコル、許諾使用機器認証プロトコル、使用条件認証プロトコルの処理を実行する（ステップＳ２４０）。
【００４６】
そして、アプリケーション起動／停止プロトコルの処理を実行する（ステップＳ２５０）。
【００４７】
以下、図７〜図１０により、これらの各種プロトコルについて、各ブロック間での情報のやり取りなどの具体的な動作を説明する。
【００４８】
図７は、メモリ・カード識別プロトコル（ステップＳ２１０）の動作の一例を示した図である。
【００４９】
始めに、機器制御システム部１１０は、応答要請コマンドをメモリ・カードＩＦ部１１２に出力する。そして、メモリ・カードＩＦ部１１２は、メモリ・カードが搭載されている時は搭載ありの応答信号を、搭載していない時は搭載なしの応答信号を機器制御システム部１１０に返送する。
【００５０】
機器制御システム部１１０は、搭載なしの応答信号の時には動作を停止する。
【００５１】
一方、搭載ありの応答信号の時には、次に、使用条件設定エリア応答要請コマンドをメモリ・カードＩＦ部１１２に出力する。そして、メモリ・カードＩＦ部１１２は、従来のメモリ・カードの場合には応答なしの信号、使用制限機能付きメモリ・カード１（１ａ）の場合には応答ありの信号を機器制御システム部１１０に返信する。
【００５２】
機器制御システム部１１０は、応答なしの信号に対しては従来のメモリ・カードと判定し、以降、従来のプロトコル処理を実行する。一方、応答ありの信号に対しては使用制限機能付きメモリ・カード１（１ａ）と判定し、以降、スーパーユーザ登録・認証プロトコルを実行する。
【００５３】
図８は、このスーパーユーザ登録・認証プロトコル（ステップＳ２２０）の動作の一例を示す図である。
【００５４】
まず、機器制御システム部１１０は、スーパーユーザＩＤ読み出しコマンドをメモリ・カードＩＦ部１１２に出力する。そして、メモリ・カードＩＦ部１１２は、使用制限機能付きメモリ・カード１（１ａ）の使用条件設定エリア部１０４のスーパーユーザＩＤ設定部１０５から読み出した情報を、スーパーユーザＩＤデータ応答として機器制御システム部１１０に返送する。なお、使用制限機能付きメモリ・カード１（１ａ）は工場出荷時に使用条件設定エリア部１０４のデータを例えばすべてゼロに初期設定する。
【００５５】
従って、このメモリ・カード１（１ａ）が未使用の時は、スーパーユーザＩＤ設定部１０５からはオールゼロ、１度でも使用された時は、登録されたスーパーユーザのＩＤデータが読み出される。
【００５６】
並行して、機器制御システム部１１０は、ユーザＩＦ部１０９へスーパーユーザＩＤ入力コマンドを出力する。このコマンドを受けたユーザＩＦ部１０９はＩＤデータ入力モードとなり、機器使用者は自分のＩＤデータを例えばテンキー入力する。そして、ユーザＩＦ部１０９は、この入力されたＩＤデータを機器制御システム部１１０に返送する。
【００５７】
次に、機器制御システム部１１０は、メモリ・カードＩＦ部１１２とユーザＩＦ部１０９とのデータの応答確認を実行する。
【００５８】
まず、メモリ・カードＩＦ部１１２のデータがすべてゼロの時は、ユーザＩＦ部１０９からのデータを使用条件設定エリア部１０４のスーパーユーザＩＤ設定部１０５に書き込む動作を実行する。そして、スーパーユーザＩＤ登録と認証の処理（ステップＳ２２０）を完了する。
【００５９】
一方、メモリ・カードＩＦ部１１２のデータがゼロ以外の時は、ユーザＩＦ部１０９のデータとの一致、不一致を検証する比較検証を実行する。
【００６０】
そして、一致の時は、スーパーユーザと判定し、スーパーユーザ認証の処理を完了し、以降、スーパーユーザ設定の各種プロトコルの処理（ステップＳ２３０）を実行する。また、不一致の時は、許諾ユーザと判定し、以降、許諾ユーザ・プロトコルの処理（ステップＳ２４０）を実行する。
【００６１】
図９は、スーパーユーザ設定の各種プロトコル処理（ステップＳ２３０）の一例を示す図である。
【００６２】
まず、許諾ユーザ設定／削除プロトコル処理を実行する（ステップＳ２３１）。すなわち、機器制御システム部１１０は、メモリ・カードＩＦ部１１２に許諾ユーザＩＤ設定部読み出しコマンドを出力する。そして、メモリ・カードＩＦ部１１２は、使用制限機能付きメモリ・カード１（１ａ）の使用条件設定エリア部１０４の許諾ユーザＩＤ設定部１０６から読み出した情報を、許諾ユーザＩＤデータ応答として機器制御システム部１１０に返送する。
【００６３】
並行して、機器制御システム部１１０は、ユーザＩＦ部１０９へ許諾ユーザ設定コマンドを出力する。このコマンドを受けたユーザＩＦ部１０９は許諾ユーザＩＤデータ入力モードとなり、スーパーユーザは使用を許諾するユーザのＩＤデータを例えばテンキー入力する。そして、ユーザＩＦ部１０９は、この入力されたＩＤデータを機器制御システム部１１０に返送する。
【００６４】
機器制御システム部１１０は、メモリ・カードＩＦ部１１２とユーザＩＦ部１０９とのデータの検証を実行する。そして、両者の一致するデータ、及びユーザＩＦ部１０９にありメモリ・カードＩＦ部１１２にはないデータは、許諾ユーザＩＤ設定部書き込みコマンドで、使用条件設定エリア部１０４の許諾ユーザＩＤ設定部１０６に書き込む動作を実行する。書き込み動作が終了するとメモリ・カードＩＦ部１１２は書き込み完了の信号を返送する。これにより、許諾ユーザ設定／削除のプロトコル処理（ステップＳ２３１）を完了する。
【００６５】
次に、許諾使用機器設定／削除プロトコル処理を実行する（ステップＳ２３２）。すなわち、機器制御システム部１１０は、メモリ・カードＩＦ部１１２に許諾使用機器ＩＤ設定部読み出しコマンドを出力する。そして、メモリ・カードＩＦ部１１２は、使用制限機能付きメモリ・カード１（１ａ）の使用条件設定エリア部１０４の許諾使用機器ＩＤ設定部１０７から読み出した情報を、許諾使用機器ＩＤデータ応答として機器制御システム部１１０に返送する。
【００６６】
並行して、機器制御システム部１１０は、ユーザＩＦ部１０９へ許諾使用機器設定コマンドを出力する。このコマンドを受けたユーザＩＦ部１０９は許諾使用機器ＩＤデータ入力モードとなり、スーパーユーザは使用を許諾する機器のＩＤデータを例えばテンキー入力する。そして、ユーザＩＦ部１０９は、この入力されたＩＤデータを機器制御システム部１１０に返送する。
【００６７】
なお、機器のＩＤデータとしては、機器に割り当てられたＩＰｖ６規格のＩＰアドレスなどを利用することも可能である。また、あらかじめ用意された機器ＩＤリストから使用を許諾する機器をマーカーすることでその機器のＩＤデータを入力することも可能である。
【００６８】
機器制御システム部１１０は、メモリ・カードＩＦ部１１２とユーザＩＦ部１０９とのデータの検証を実行する。そして、両者の一致するデータ、及びユーザＩＦ部１０９にありメモリ・カードＩＦ部１１２にはないデータは、許諾使用機器ＩＤ設定部書き込みコマンドで、使用条件設定エリア部１０４の許諾使用機器ＩＤ設定部１０７に書き込む動作を実行する。書き込み動作が終了するとメモリ・カードＩＦ部１１２は書き込み完了の信号を返送する。これにより、許諾使用機器設定／削除のプロトコル処理（ステップＳ２３２）を完了する。
【００６９】
さらに、使用条件設定／削除プロトコル処理を実行する（ステップＳ２３３）。すなわち、機器制御システム部１１０は、メモリ・カードＩＦ部１１２に使用条件設定部読み出しコマンドを出力する。そして、メモリ・カードＩＦ部１１２は、使用制限機能付きメモリ・カード１（１ａ）の使用条件設定エリア部１０４の使用条件設定部１０８から読み出した情報を、使用条件データ応答として機器制御システム部１１０に返送する。
【００７０】
並行して、機器制御システム部１１０は、ユーザＩＦ部１０９へ使用条件設定コマンドを出力する。このコマンドを受けたユーザＩＦ部１０９は使用条件データ入力モードとなり、スーパーユーザは使用条件として使用する時間帯、使用時間などのデータを例えばテンキー入力する。そして、ユーザＩＦ部１０９は、この入力された使用条件データを機器制御システム部１１０に返送する。
【００７１】
機器制御システム部１１０は、メモリ・カードＩＦ部１１２とユーザＩＦ部１０９とのデータの検証を実行する。そして、両者の一致するデータ、及びユーザＩＦ部１０９にありメモリ・カードＩＦ部１１２にはないデータは、使用条件設定部書き込みコマンドで、使用条件設定エリア部１０４の使用条件設定部１０８に書き込む動作を実行する。書き込み動作が終了するとメモリ・カードＩＦ部１１２は書き込み完了の信号を返送する。これにより、使用条件設定／削除のプロトコル処理（ステップＳ２３３）を完了する。
【００７２】
最後に、コンテンツ登録／削除プロトコル処理を実行する（ステップＳ２３４）。すなわち、機器制御システム部１１０は、ユーザＩＦ部１０９へコンテンツ登録コマンドを出力する。このコマンドを受けたユーザＩＦ部１０９はコンテンツ登録データ入力モードとなり、スーパーユーザは登録したいコンテンツのデータを例えばテンキー入力する。そして、ユーザＩＦ部１０９は、この入力された使用条件データを機器制御システム部１１０に返送する。
【００７３】
機器制御システム部１１０は、送られたコンテンツ情報をもとに、機器内蔵の蓄積サーバ、あるいはネットワークを介して結ばれた複数機器の蓄積サーバなどから必要なコンテンツを検索し、登録コンテンツ書き込みコマンドで、標準メモリ領域に書き込む動作を実行する。書き込み動作が終了するとメモリ・カードＩＦ部１１２は書き込み完了の信号を返送する。これにより、コンテンツ登録／削除のプロトコル処理（ステップＳ２３４）を完了する。
【００７４】
図１０は、許諾ユーザ設定の各種プロトコル処理（ステップＳ２４０）の一例を示す図である。
【００７５】
始めに、許諾ユーザ認証プロトコル処理を実行する（ステップＳ２４１）。すなわち、機器制御システム部１１０は、メモリ・カードＩＦ部１１２に許諾ユーザＩＤ設定部読み出しコマンドを出力する。そして、メモリ・カードＩＦ部１１２は、使用制限機能付きメモリ・カード１（１ａ）の使用条件設定エリア部１０４の許諾ユーザＩＤ設定部１０６から読み出した情報を、許諾ユーザＩＤデータ応答として機器制御システム部１１０に返送する。
【００７６】
並行して、機器制御システム部１１０は、ユーザＩＦ部１０９へ許諾ユーザ設定コマンドを出力する。このコマンドを受けたユーザＩＦ部１０９は許諾ユーザＩＤデータ入力モードとなり、許諾ユーザはそのＩＤデータを例えばテンキー入力する。そして、ユーザＩＦ部１０９は、この入力されたＩＤデータを機器制御システム部１１０に返送する。
【００７７】
機器制御システム部１１０は、メモリ・カードＩＦ部１１２とユーザＩＦ部１０９とのデータの検証を実行する。そして、両者が一致した時には、許諾ユーザと認証し、次の許諾使用機器認証プロトコル（ステップＳ２４２）に移る。一方、不一致の時は、許諾ユーザではないと判定し、動作を終了する。
【００７８】
次に、許諾使用機器認証プロトコル処理を実行する（ステップＳ２４２）。すなわち、機器制御システム部１１０は、メモリ・カードＩＦ部１１２に許諾使用機器ＩＤ設定部読み出しコマンドを出力する。そして、メモリ・カードＩＦ部１１２は、使用制限機能付きメモリ・カード１（１ａ）の使用条件設定エリア部１０４の許諾使用機器ＩＤ設定部１０７から読み出した情報を、許諾使用機器ＩＤデータ応答として機器制御システム部１１０に返送する。
【００７９】
機器制御システム部１１０は、自身の機器ＩＤと、メモリ・カードＩＦ部１１２からのデータとを比較検証する。そして、自身の機器ＩＤが含まれる時には、許諾使用機器と認証し、次の使用条件認証プロトコル（ステップＳ２４３）に移る。一方、含まれない時は、許諾使用機器ではないと判定し、動作を終了する。
【００８０】
さらに、使用条件認証プロトコル処理を実行する（ステップＳ２４３）。すなわち、機器制御システム部１１０は、メモリ・カードＩＦ部１１２に使用条件設定部読み出しコマンドを出力する。そして、メモリ・カードＩＦ部１１２は、使用制限機能付きメモリ・カード１（１ａ）の使用条件設定エリア部１０４の使用条件設定部１０８から読み出した情報を、使用条件データ応答として機器制御システム部１１０に返送する。
【００８１】
機器制御システム部１１０は、機器自身が内蔵する機能で得られる現在時刻などの情報と、メモリ・カードＩＦ部１１２からのデータとを比較検証する。そして、条件が合致している時は、使用条件を満足すると認証し、アプリケーション起動／停止プロトコル（ステップＳ２５０）に移行する。一方、一致しない時は、使用条件を満足しないと判定し、動作を終了する。
【００８２】
以上に述べたように、本実施の形態１によれば、スーパーユーザが使用制限機能付きメモリ・カード１（１ａ）に登録した許諾ユーザ、許諾使用機器、使用条件を満たす場合に限ってアクセスが可能であるため、所有者であるスーパーユーザの権利保護や秘密保護、あるいは改竄防止などを簡単に実現でき、「ブリッジメディア」としての安全性や利便性の向上に顕著な効果が得られる。
【００８３】
（実施の形態２）
次に、図１１〜図１４により、本発明の実施の形態２について説明する。
【００８４】
図１１は、本発明の実施の形態２における、コントローラＬＳＩ内蔵の著作権保護機能付きメモリ・カードの構成の一例を示す図である。
【００８５】
本実施の形態２のメモリ・カード１ｂは、コマンドでアクセス可能な標準メモリ領域１０３の一部に、使用制限情報を登録する使用条件設定エリア部１０４を設けて構成する点は、実施の形態１に係るメモリ・カード１と同様である。
【００８６】
異なる点は、使用制限機能付きメモリ・カードとして機能させるときは、使用条件設定エリア部１０４を含むスーパーユーザ・アプリケーションユーズ設定領域１１３、従来のメモリ・カードとして機能させるときは一般ユーズ領域１１４と、標準メモリ領域１０３を分割して使用することにある。
【００８７】
また、図１２は、本実施の形態２における、コントローラＬＳＩを内蔵しないメモリ・カードの構成の一例を示す図である。
【００８８】
本実施の形態２の別のメモリ・カード１ｃは、コマンドでアクセス可能な標準メモリ領域１０３に、使用条件設定エリア部１０４を設けて構成する点は、実施の形態１に係るメモリ・カード１ａと同様である。
【００８９】
異なる点は、使用制限機能付きメモリ・カードとして機能させるときは、使用条件設定エリア部１０４を含むスーパーユーザ・アプリケーションユーズ設定領域１１３、従来のメモリ・カードとして機能させるときは一般ユーズ領域１１４と、標準メモリ領域１０３を分割して使用することにある。
【００９０】
図１３は、本実施の形態２における、各種プロトコル処理の一例を示す図である。
【００９１】
先の実施の形態１で示した図６及び図９とほぼ同じ手順であるが、図のスーパーユーザ部分の使用条件設定／削除プロトコル（ステップＳ２３３）とコンテンツ登録／削除プロトコル（ステップＳ２３４）との間に、アプリケーションユーズ設定プロトコル（ステップＳ２３５）を新たに追加する。そして、このプロトコル処理で、図１１及び図１２に示したスーパーユーザ・アプリケーションユーズ設定領域１１３の領域設定を行う。
【００９２】
図１４は、このアプリケーションユーズ設定プロトコルの処理（ステップＳ２３５）の一例を示す図である。
【００９３】
始めに、機器制御システム部１１０は、ユーザＩＦ部１０９にユーズ領域設定コマンドを出力する。このコマンドを受けたユーザＩＦ部１０９はユーズ領域設定データ入力モードとなり、スーパーユーザは使用制限機能付きメモリ・カードとして使用するメモリ領域の容量を例えばテンキー入力する。そして、ユーザＩＦ部１０９は、この入力されたメモリ容量データを機器制御システム部１１０に返送する。
【００９４】
次に、機器制御システム部１１０は、メモリ容量データがゼロの時は領域設定を行わないと判定し、このプロトコル処理を終了する。これ以外の時は、領域設定の処理を実行するため、メモリ・カードＩＦ部に領域設定コマンドを出力する。メモリ・カードＩＦ部１１２は、使用制限機能付きメモリ・カードとして使用するスーパーユーザ・アプリケーションユーズ設定領域１１３を標準メモリ領域１０３に設定する処理を行う。そして、設定した領域のアドレスを返送する。
【００９５】
これを受信した機器制御システム部１１０は、ユーザＩＦ部１０９に設定完了の通報を行い、このプロトコル処理（ステップＳ２３５）を終了する。
【００９６】
これ以外の各種プロトコル処理は、実施の形態１と同様であり、説明は省略する。
【００９７】
以上に述べたごとく、本実施の形態２によれは、使用状況に応じて、使用制限機能付きメモリ・カード、従来のメモリ・カードと使い分けが可能になり、利便性が向上する。
【００９８】
以下、この使用制限機能付きメモリ・カードを、テレビジョン受像機やデジタル録画機器、あるいはネットワークで結ばれた情報家電機器に適用した応用製品、及び使用制限機能付きメモリ・カードを媒体とした電子新聞配信システム、電子雑誌配信システムについて説明する。
【００９９】
（実施の形態３）
まず、本発明の実施の形態３における、本願発明に係るメモリ・カードを適用したテレビジョン受像機について説明する。
【０１００】
図１５は、本実施の形態３における、本願発明に係るメモリ・カードを適用したテレビジョン受像機の構成の一例を示す図である。
【０１０１】
本実施の形態３では、「ブリッジメディア」として使用する以外に、メモリ・カードの特長である高速アクセス、コンパクト・アンド・スリム、メカレスを活かして、タイムシフト、追っ掛け再生、一時停止などの機能も簡単に実現するものである。
【０１０２】
本実施の形態３のテレビジョン受像機は、復調部２０、デジタル復調部２１、圧縮部２２、スイッチ部２３，２７，２９、パケット化部２４、本願発明に係るメモリ・カードと接続されたメモリ・カード部２５、デパケット化部２６、伸長部２８、表示部３０、システム制御部３１などからなり、アナログ放送の信号Ｓ１が復調部２０に入力し、その復調部２０の出力Ｓ３がスイッチ部２９及び圧縮部２２に入力し、その圧縮部２２の出力Ｓ５がスイッチ部２３に入力し、デジタル放送の信号Ｓ２がデジタル復調部２１に入力し、そのデジタル復調部２１の出力Ｓ４がスイッチ部２３に入力し、そのスイッチ部２３の出力Ｓ６がスイッチ部２７及びパケット化部２４に入力し、そのパケット化部２４の出力がメモリ・カード部２５に入力し、そのメモリ・カード部２５の出力がデパケット化部２６に入力し、そのデパケット化部２６の出力Ｓ７がスイッチ部２７に入力し、そのスイッチ部２７の出力が伸長部２８に入力し、その伸長部２８の出力がスイッチ部２９に入力し、そのスイッチ部２９の出力が表示部３０に入力されている。
【０１０３】
次に、本実施の形態３のテレビジョン受像機の動作について説明する。
【０１０４】
アナログ放送の信号Ｓ１は、復調部２０で所定の復調処理を行い、画像信号と音声信号からなる信号Ｓ３に復調される。そして、圧縮部２２では、デジタル放送と同じ手法の画像・音声圧縮処理を行い、データストリーム信号Ｓ５を生成する。
【０１０５】
一方、デジタル放送の信号Ｓ２は、デジタル復調部２１で所定のデジタル復調処理を行い、データストリーム信号Ｓ４が復号される。
【０１０６】
スイッチ部２３は、いずれか一方の信号を選択してデータストリーム信号Ｓ６を出力する。パケット化部２４は、データストリーム信号Ｓ６のパケット化処理を行い、後述するように、例えば、「ＤＶＤ　Ｓｔｒｅａｍ　Ｒｅｃｏｒｄｉｎｇ」規格で定められる所定のパケットを単位とするパケットデータに変換する。そして、メモリ・カード部２５にパケット単位で書き込む。一方、メモリ・カード部２５からパケット単位で読み出されたデータは、デパケット化部２６でデパケット処理を行い、元のデータストリーム信号Ｓ７に復号される。
【０１０７】
スイッチ部２７は、いずれか一方の信号を選択して出力する。そして、伸長部２８は、データストリーム信号の復号処理を行い、画像信号と音声信号を復号する。
【０１０８】
スイッチ部２９は、いずれか一方の信号を選択して出力し、この信号を、表示部３０に表示する。
【０１０９】
システム制御部３１は、各部の動作、処理の制御を行う。
【０１１０】
本実施の形態３において、タイムシフト、追っ掛け再生、一時停止などの機能は、パケット化部２４、メモリ・カード部２５、デパケット化部２６のルートで実現される。すなわち、現在のデータをメモリ・カード部２５に書き込み、以前に記録したデータを読み出すことで実現される。この際、書き込みデータ・レートは６Ｍｂｐｓ程度であるのに対して、メモリ・カードへの書き込み速度は２Ｍバイト／秒　（１６Ｍｂｐｓ相当）と約３倍程度高速なため、残りの時間でデータを読み出すことができる。また、メモリ・カードの容量が４Ｇバイトとすれば、約９０分間のタイムシフトや追っ掛け再生や一時停止が可能である。
【０１１１】
図１６は、データストリーム信号をパケットデータに変換する際の、「ＤＶＤＳｔｒｅａｍ　Ｒｅｃｏｒｄｉｎｇ」規格に準拠したパケットデータの構成の一例を示す図である。
【０１１２】
この規格では、１パケットを２０６４バイトで構成し、そのうち、パケット識別のＩＤが１２バイト、ヘッダ情報が２９バイト、アプリケーションヘッダが９バイト、ＣＲＣが４バイト、残りの部分にデータストリーム信号とそのタイムスタンプのデータ列を格納する。このように構成したパケットを単位に、メモリ・カードへの書き込み、読み出しを行う。そして、データ入力時のタイミングを相対的に守りながら元通りのストリームを再生することができる。
【０１１３】
（実施の形態４）
次に、本発明の実施の形態４における、本願発明に係るメモリ・カードを適用したデジタル録画機器の構成の一例について説明する。
【０１１４】
図１７は、本実施の形態４における、本願発明に係るメモリ・カードを適用したデジタル録画機器の構成の一例を示す図である。
【０１１５】
本実施の形態４のデジタル録画機器は、例えば、入力ＩＦ部４０、圧縮部４１、本願発明に係るメモリ・カードと接続可能なインタフェースとしてのメモリ・カード部４３、そのインタフェースと接続された記録媒体としての蓄積記録部４２、伸長部４４、出力ＩＦ部４５、制御部４６などからなり、入力ＩＦ部４０の出力は圧縮部４１に入力し、その圧縮部４１の出力は蓄積記録部４２に入力し、その蓄積記録部４２の出力は伸長部４４に入力し、その伸長部４４の出力は、出力ＩＦ部４５に入力されている。また、蓄積記録部４２とメモリ・カード部４３の入出力は、双方向に接続されている。
【０１１６】
放送やインターネットで送られる画像コンテンツや音楽コンテンツ類は、例えば、ＩＥＥＥ１３９４などを介して入力ＩＦ部４０に入力され、デジタルのデータストリーム信号を抽出する。なお、入力信号がアナログの画像や音楽の信号のときは、この入力ＩＦ部４０でデジタルの信号に変換する。
【０１１７】
圧縮部４１は、例えば、ＭＰＥＧ２符号化処理を行い、情報量を圧縮する。なお、既に圧縮処理が行われた信号は、ストリーム信号で情報量を圧縮するトランスコーディング処理を行う。そして、蓄積記録部４２、例えば、ＨＤＤやＤＶＤなどの記録媒体に信号を記録する。
【０１１８】
伸長部４４は、復号化のための伸長処理を行い、出力ＩＦ部４５で所定のインタフェース（例えば、ＩＥＥＥ１３９４やＤ５フォーマットなど）に合致した信号系列を出力する。
【０１１９】
一方、このデジタル録画機器に搭載されるメモリ・カード部４３は、本願発明に係る使用制限機能付きメモリ・カード１（１ａ，１ｂ，１ｃ）のインタフェース部で、記録媒体としての蓄積記録部４２に蓄積されているコンテンツをメモリ・カード１（１ａ，１ｂ，１ｃ）にダウンロードしたり、メモリ・カード１（１ａ，１ｂ，１ｃ）に記録されている情報を蓄積記録部４２に記録したりする処理を行う。
【０１２０】
制御部４６は、このデジタル録画機器の各種制御、及び使用制限機能付きメモリ・カード１（１ａ，１ｂ，１ｃ）との各種プロトコル処理を実行する。
【０１２１】
なお、蓄積記録部４２及び使用制限機能付きメモリ・カード１（１ａ，１ｂ，１ｃ）への書き込みや読み出しは、先に図１６に示した構成のパケットデータを単位として実行することもできる。
【０１２２】
（実施の形態５）
次に、本発明の実施の形態５における、本願発明に係るメモリ・カードを適用したメモリ・カード搭載機器システムについて説明する。
【０１２３】
図１８は、本実施の形態５における、本願発明に係るメモリ・カードを適用したメモリ・カード搭載機器システムの構成の一例を示す図である。
【０１２４】
図１８に示すように、機器５０、機器５１、機器５２、機器５３は、それぞれ、本願発明に係るメモリ・カード１（１ａ，１ｂ，１ｃ）と接続されるメモリ・カードＩＦ部５５を備える。そして、本願発明に係る使用制限機能付きメモリ・カード１（１ａ，１ｂ，１ｃ）は、製品間の橋渡しを行う「ブリッジメディア」として、これらの機器間で使用する。
【０１２５】
また、各機器間は、ネットワーク網５４を介してホームネットワークを構築する。このネットワーク網としては、無線ＬＡＮ（ＩＥＥＥ８０２．１１やワイヤレス１３９４）や有線通信（ＨｏｍｅＰＮＡやＥＣＨＯＮＥＴ）など各種方式のものが使用できる。
【０１２６】
このシステム構成によって、ＡＶ分野やＰＣ分野のほか、モバイル分野や通信分野、家庭電化分野、健康・医療分野にまで応用製品機器群を広げることができる。そして、これら応用製品機器は、使用制限機能付きメモリ・カードを製品間の橋渡しを行う「ブリッジメディア」として、快適なライフスタイルを創生する。
【０１２７】
（実施の形態６）
最後に、本発明の実施の形態６における、本願発明に係るメモリ・カードを適用した電子新聞及び電子雑誌の配信サービスについて説明する。
【０１２８】
図１９は、本実施の形態６における、本願発明に係るメモリ・カードを適用した電子新聞及び電子雑誌の配信サービスのシステム構成の一例を示す図である。
【０１２９】
本実施の形態６の電子新聞及び電子雑誌の配信サービスのシステムは、例えば、配信事業者６０、ブロードバンドネットワーク網６１、及び契約したコンビニエンスストアなどの店舗に設置するコンテンツ配信ユニット６２などから構成される。
【０１３０】
配信事業者６０は、電子新聞や電子雑誌の最新のコンテンツ（静止画や動画を含むことも可能）を制作し、これらのコンテンツをブロードバンドネットワーク網６１を通じて、契約するコンテンツ配信ユニット６２に送信する。
【０１３１】
コンテンツ配信ユニット６２は、例えば、コンテンツを記録・蓄積する大容量のコンテンツ蓄積サーバ６３（記録媒体）、本願発明に係る使用制限機能付きメモリ・カードカード１（１ａ，１ｂ，１ｃ）を搭載するメモリ・カードＩＦ部６４、コンテンツの蓄積や使用制限機能付きメモリ・カード１（１ａ，１ｂ，１ｃ）との各種プロトコル処理やコンテンツのダウンロード処理などを管理するシステム管理部６５、及びＧＵＩや音声ガイドで機器操作を指示するユーザＩＦ部６６などから構成される。
【０１３２】
図２０は、このシステムにおいて、本願発明に係る使用制限機能付きメモリ・カードの使用条件設定エリア部１０４に登録する各種データの一例を示す図である。
【０１３３】
ユーザは、上記のコンテンツ配信ユニット６２を設置した店舗で、電子新聞や電子雑誌の配信購読を申し込む。この申し込みに応じて、店舗ではユーザに使用制限機能付きメモリ・カード１（１ａ，１ｂ，１ｃ）を付与する。この際、スーパーユーザＩＤ設定部１０５には、店舗の名称、あるいはグループ内の複数の店舗で共通に使用できるグループ名称などを登録する（図２０では○×グループ）。また、許諾ユーザＩＤ設定部１０６には、申し込み者のＩＤ情報などを登録する（図２０ではＡＣＸＹ）。そして、許諾使用機器ＩＤ設定部１０７には、店舗に設置のコンテンツ配信ユニット、あるいは複数の店舗で共通に使用できるコンテンツ配信ユニットの機器ＩＤ情報、及びユーザが使用する機器（場合によると貸与される機器）のＩＤ情報などを登録する（図２０ではサーバＸＡ）。また、使用条件設定部１０８には、配信を希望する新聞や雑誌のＩＤコード、及び有効使用期限などを登録する（図２０では、新聞Ａ，Ｂ、雑誌Ｊ）。なお、必要に応じて、スーパーユーザ・アプリケーションユーズ設定領域１１３の登録を行うこともできる。
【０１３４】
図１９に戻り、ユーザは、付与された使用制限機能付きメモリ・カード１（１ａ，１ｂ，１ｃ）を、店舗に設置したコンテンツ配信ユニット６２のメモリ・カードＩＦ部６４に入力する。そして、ユーザＩＦ部６６に許諾ユーザＩＤデータを入力する。
【０１３５】
システム管理部６５は、使用条件設定エリア部１０４の各種データ及びユーザＩＦ部６６からの許諾ユーザＩＤデータとの検証を行い、使用条件を満足している場合は、コンテンツ蓄積サーバ６３から該当するコンテンツのデータを使用制限機能付きメモリ・カード１（１ａ，１ｂ，１ｃ）の標準メモリ領域１０３に高速に書き込む。そして、メモリ・カードへのコンテンツのダウンロードが完了する。
【０１３６】
ユーザは、メモリ・カードに記録されたコンテンツを、許諾使用機器として登録した自分の機器あるいは貸与された機器で見ることで、電子新聞や電子雑誌のサービスを享受できる。
【０１３７】
以上に述べたごとく、本実施の形態６によれば、メモリ・カードへのコンテンツのダウンロードを高速に行え、かつ、コンテンツの著作権保護や改竄防止を有する電子新聞、電子雑誌等の配信サービスが可能となる。
【０１３８】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【０１３９】
【発明の効果】
本願において開示される発明のうち、代表的なものによって得られる効果を簡単に説明すれば、以下のとおりである。
【０１４０】
（１）本発明の使用制限機能付きメモリ・カード、その応用装置及び方法によれば、一般ユーザの権利保護、秘密保護、あるいは改竄防止のために、使用者、使用機器、使用条件などの使用制限情報を簡単に設定することができる。
【０１４１】
（２）製品間の橋渡しを行う「ブリッジメディア」としてのメモリ・カードの安全性の向上に顕著な効果が得られる。
【図面の簡単な説明】
【図１】コントローラＬＳＩ内蔵の著作権保護機能付きメモリ・カードに適用した場合の、本発明の実施の形態１のメモリ・カードの構成の一例を示す図である。
【図２】コントローラＬＳＩを内蔵しないメモリ・カードに適用した場合の、本発明の実施の形態１のメモリ・カードの構成の一例を示す図である。
【図３】本発明のメモリ・カードの使用制限情報を登録する使用条件設定エリア部の構成の一例を示す図である。
【図４】本発明のメモリ・カードを搭載する機器のシステム構成の一例を示す図である。
【図５】本発明のメモリ・カードとメモリ・カード搭載機器との間で実行する各種プロトコル処理の一例を示す図である。
【図６】本発明の実施の形態１における、各種プロトコルの処理フローの一例を示す図である。
【図７】本発明の実施の形態１における、メモリ・カード識別プロトコルの動作の一例を示した図である。
【図８】本発明の実施の形態１における、スーパーユーザ登録・認証プロトコルの動作の一例を示す図である。
【図９】本発明の実施の形態１における、スーパーユーザ設定の各種プロトコル処理の一例を示す図である。
【図１０】本発明の実施の形態１における、許諾ユーザ設定の各種プロトコル処理の一例を示す図である。
【図１１】コントローラＬＳＩ内蔵の著作権保護機能付きメモリ・カードに適用した場合の、本発明の実施の形態２のメモリ・カードの構成の一例を示す図である。
【図１２】コントローラＬＳＩを内蔵しないメモリ・カードに適用した場合の、本発明の実施の形態２のメモリ・カードの構成の一例を示す図である。
【図１３】本発明の実施の形態２における、各種プロトコル処理の一例を示す図である。
【図１４】本発明の実施の形態２における、アプリケーションユーズ設定プロトコルの処理の一例を示す図である。
【図１５】本発明の実施の形態３における、本願発明に係るメモリ・カードを適用したテレビジョン受像機の構成の一例を示す図である。
【図１６】本発明の実施の形態３における、データストリーム信号をパケットデータに変換する際の、「ＤＶＤ　Ｓｔｒｅａｍ　Ｒｅｃｏｒｄｉｎｇ」規格に準拠したパケットデータの構成の一例を示す図である。
【図１７】本発明の実施の形態４における、本願発明に係るメモリ・カードを適用したデジタル録画機器の構成の一例を示す図である。
【図１８】本発明の実施の形態５における、本願発明に係るメモリ・カードを適用したメモリ・カード搭載機器システムの構成の一例を示す図である。
【図１９】本発明の実施の形態６における、本願発明に係るメモリ・カードを適用した電子新聞及び電子雑誌の配信サービスのシステム構成の一例を示す図である。
【図２０】本発明の実施の形態６における、本願発明に係るメモリ・カードの使用条件設定エリア部に登録する各種データの一例を示す図である。
【符号の説明】
１，１ａ，１ｂ，１ｃ　メモリ・カード
２　メモリ・カード搭載機器
２０　復調部
２１　デジタル復調部
２２，４１　圧縮部
２３，２７，２９　スイッチ部
２４　パケット化部
２５，４３　メモリ・カード部
２６　デパケット化部
２８，４４　伸長部
３０　表示部
３１　システム制御部
４０　入力ＩＦ部
４２　蓄積記録部
４５　出力ＩＦ部
４６　制御部
５０，５１，５２，５３　機器
５４　ネットワーク網
５５，６４，１１２　メモリ・カードＩＦ部
６０　配信事業者
６１　ブロードバンドネットワーク網
６２　コンテンツ配信ユニット
６３　コンテンツ蓄積サーバ
６５　システム管理部
６６，１０９　ユーザＩＦ部
１０１　セキュア領域
１０２　準セキュア領域
１０３　標準メモリ領域
１０４　使用条件設定エリア部
１０５　スーパーユーザＩＤ設定部
１０６　許諾ユーザＩＤ設定部
１０７　許諾使用機器ＩＤ設定部
１０８　使用条件設定部
１１０　機器制御システム部
１１１　機器アプリケーション制御部
１１３　スーパーユーザ・アプリケーションユーズ設定領域
１１４　一般ユーズ領域
【図１】
2004054473.tif 000003
【図２】
2004054473.tif 000004
【図３】
2004054473.tif 000005
【図４】
2004054473.tif 000006
【図５】
2004054473.tif 000007
【図６】
2004054473.tif 000008
【図７】
2004054473.tif 000009
【図８】
2004054473.tif 000010
【図９】
2004054473.tif 000011
【図１０】
2004054473.tif 000012
【図１１】
2004054473.tif 000013
【図１２】
2004054473.tif 000014
【図１３】
2004054473.tif 000015
【図１４】
2004054473.tif 000016
【図１５】
2004054473.tif 000017
【図１６】
2004054473.tif 000018
【図１７】
2004054473.tif 000019
【図１８】
2004054473.tif 000020
【図１９】
2004054473.tif 000021
【図２０】
2004054473.tif 000022